【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
コード化および暗号化電子認証手段を備えたオリジナル電子キー（１）であって、
・識別コード（ＩＤ）と、
・暗号化された秘密コードと、
・パスワードと、
・アルゴリズムと、
・データストレージと計算手段と
を含み、中央処理装置（３）を備えた乗り物において用いられ、
当該中央処理装置は、
・識別コード（ＩＤ）と、
・暗号化された秘密コードと、
・パスワードと、
・アルゴリズムと
を格納することができ、複製方法により、ブランクキーに基づいて複製された鍵を得ることができ、当該ブランクキーは、
・アルゴリズムと、
・前記識別コード（ＩＤ）、前記秘密コード、および前記パスワードを格納することが可能なデータストレージ手段と
を初めから備えており、
前記データストレージ手段は初期化されていることを特徴とするオリジナル電子キーの複製方法において、
・前記中央処理装置（３）によって送信された秘密コードからなるアルゴリズムで、暗号化されたランダムコードを含む無線電気問合せ信号の傍受ステップと、
・外部手段（５）で前記ランダムコードを記憶するステップと、
・鍵複製装置（４）のような補助的手段に、ランダムコードを送信するステップと、
・前記鍵複製装置（４）による前記秘密コードの解読ステップと、
・前記複製装置によって発せられた前記秘密コードを含む無線電気信号を介して、前記オリジナルキーに問合せるステップと、
・前記複製装置に、前記オリジナルキーによって送信された第二のコード（パスワード）を受信して、前記複製装置に記憶するステップと、
・前記第二のコード（パスワード）を前記ブランクキーに送信するステップと
を含むオリジナル電子キーの複製方法。
【請求項２】
請求項１に記載の方法において、
ステップＡ）前記オリジナルキー（１）が前記乗り物のロックに挿入されて、当該乗り物の中央処理装置（３）が起動するための電気回路が閉じるまで回されるステップと、
ステップＢ）前記中央処理装置は、前記オリジナルキーの前記識別コード（ＩＤ）の識別を要求するコードを含む無線電気信号を送信するステップと、
ステップＢ−Ｂ）前記オリジナルキーは、前記識別要求コードを受信して、当該キーに格納された識別コード（ＩＤ）を中央処理装置に送信するステップと、
ステップＢ−Ｃ）中央処理装置は前記コード（ＩＤ）を受信して、予め記憶されていたＩＤコードと比較する；もし認識される（認証される）ならば、本方法を継続させるステップと、
ステップＣ）前記中央処理装置（３）は、前記オリジナルキー（１）に、その暗号化された秘密コードを送信するステップと、
ステップＤ）傍受装置（スニファー５）は、前記オリジナルキーの近傍に配置され、前記中央処理装置の問合せと、前記オリジナルキーの応答（すなわち、その暗号化された秘密コード）の両方を含む無線電気信号を傍受して、前記中央処理装置（３）の前記傍受コードおよび前記オリジナルキーで送信された確認コード（ＩＤ）を記憶するステップと、  ステップＥ）前記傍受装置（５）は、前記鍵複製装置（４）に挿入されるステップと、  ステップＦ）前記鍵複製装置は、前記傍受装置（５）に、無線電気信号を送信するステップ
と、
ステップＧ）前記傍受装置（５）は、前記鍵複製装置（４）に、ステップＤ）において記憶された２つのコードと共に無線電気信号を送信するステップと、
ステップＨ）前記鍵複製装置（４）は、前記中央処理装置（３）によって生成された暗号化された秘密コードを記憶して、複数の数学関数および計算手段を介して、前記暗号化された秘密コードを解読して、秘密コードを獲得するステップと、
ステップＩ）前記傍受装置は、前記鍵複製装置（４）から取り除かれるステップと、
ステップＬ）前記オリジナルキーが、前記鍵複製装置（４）に挿入されるステップと、  ステップＭ）前記鍵複製装置は、そのアルゴリズムによって暗号化された秘密コードを含む、適切な無線電気信号を用いて、前記オリジナルキーに問合せて、前記中央処理装置の動作をエミュレートするステップと、
ステップＮ）前記オリジナルキーは、その暗号化されたパスワードを送信することによって応答するステップと、
ステップＯ）前記鍵複製装置は、前記パスワードを記憶するステップと、
ステップＰ）前記オリジナルキーは、前記鍵複製装置から取り除かれるステップと、
ステップＱ）前記ブランクキーは、前記鍵複製装置に挿入されるステップと、
ステップＲ）前記鍵複製装置は、前記ブランクキーに、前記パスワード、前記秘密コード、および前記ＩＤと共に、無線電気信号を送信するステップと、
ステップＳ）前記ブランクキーは、前記３つのコード（パスワード、秘密コード、およびＩＤ）を、定められたメモリに記憶するステップと
を含むことを特徴とする方法。
【請求項３】
コード化および暗号化電子認証手段を備えたオリジナル電子キー（１）であって、
・識別コード（ＩＤ）と、
・暗号化された秘密コードと、
・パスワードと、
・アルゴリズムと、
・データストレージと計算手段と
を含み、中央処理装置（３）を備えた乗り物において用いられ、
当該中央処理装置は、
・識別コード（ＩＤ）と、
・暗号化された秘密コードと、
・パスワードと、
・アルゴリズムと
を格納することができ、複製方法により、ブランクキーに基づいて複製された鍵を得ることができ、当該ブランクキーは、
・アルゴリズムと、
・前記識別コード（ＩＤ）、前記秘密コード、および前記パスワードを格納することが可能なデータストレージ手段と
を初めから備えており、
前記データストレージ手段は初期化されていることを特徴とするオリジナル電子キーの複製方法において、
ステップＡ−１）前記オリジナルキー（１）が、前記鍵複製装置（４）に挿入されるステップと、
ステップＢ−１）前記鍵複製装置は、前記オリジナルキーに問合せを行う無線電気信号を発するステップと、
ステップＣ−１）前記オリジナルキーは、その識別コード（ＩＤ）を含む無線電気信号を送信することで応答するステップと、
ステップＤ−１）前記ＩＤが受信されて、前記ブランクキーに記憶されるステップと、  ステップＥ−１）前記ブランクキーは、前記乗り物のロックに挿入されて、点火装置に対して１回以上の試行が行われるステップと、
ステップＦ−１）前記点火装置に対するどの試行においても、前記中央処理装置は、前記ブランクキーに、その暗号化された秘密コードを含む無線電気信号を送信するステップと、
ステップＧ−１）前記ブランクキーは、前記乗り物のロックから取り除かれて、前記鍵複製装置に挿入されるステップと、
ステップＨ−１）適切な計算手段および数学関数を介して、前記鍵複製装置は前記秘密コードを暗号化して記憶するステップと、
ステップＬ−１）前記ブランクキーは、前記複製装置から取り除かれるステップと、
ステップＭ−１）前記オリジナルキーが、前記鍵複製装置に挿入されるステップと、
ステップＮ−１）前記複製装置は、前記秘密コードを含む適切な無線電気信号を用いて、前記オリジナルキーに問合せを行い、それによって、前記中央処理装置の動作をエミュレートするステップと、
ステップＯ−１）前記オリジナルキーは、新たなそれ自身のコード（すなわち、パスワード）を送信することで応答するステップと、
ステップＰ−１）前記複製装置は、新たな前記パスワードを記憶するステップと、
ステップＱ−１）前記オリジナルキーが、前記複製装置から取り除かれるステップと、 ステップＲ−１）前記ブランクキーが、前記複製装置に挿入されるステップと、
ステップＳ−１）前記複製装置は、前記パスワードと、前記秘密コードを含む無線電気信号を前記ブランクキーに送信するステップであって、前記ＩＤは、既に送信されていて、先のステップＣ−１およびＤ−１の際に格納されている、ステップと、
Ｔ−１）前記ブランクキーは前記パスワードと前記秘密コードを、定められたメモリに記憶するステップと
を含むオリジナル電子キーの複製方法。
【請求項４】
前記ステップＥ−１に記載された、前記点火装置に対する試行は、３回行われることを特徴とする請求項３に記載の方法。
【請求項５】
前記ステップＤにおいて、前記傍受装置（５）は、前記オリジナルキー（１）に記憶された暗号化された秘密コードを運ぶ信号も受信して記憶することと、
前記ステップＧにおいて、前記傍受装置（５）は、前記鍵複製装置（４）に、前記オリジナルキー自体の前記識別コードおよび前記暗号化された秘密コードのいずれも含む無線電気信号を送信すること
を特徴とする請求項１に記載の方法。
【請求項６】
前記ステップＤにおいて、前記傍受装置（５）は、前記オリジナルキー（１）に記憶された暗号化された秘密コードを運ぶ信号も受信して記憶することと、
前記ステップＧにおいて、前記傍受装置（５）は、前記鍵複製装置（４）に、前記オリジナルキー自体の前記識別コードおよび前記暗号化された秘密コードのいずれも含む無線電気信号を送信すること
を特徴とする請求項２に記載の方法。
【手続補正２】
【補正対象書類名】図面
【補正対象項目名】図２
【補正方法】変更
【補正の内容】
【図２】
2012529580.tif 000001
【手続補正３】
【補正対象書類名】図面
【補正対象項目名】図３
【補正方法】変更
【補正の内容】
【図３】
2012529580.tif 000002
【手続補正４】
【補正対象書類名】図面
【補正対象項目名】図４
【補正方法】変更
【補正の内容】
【図４】
2012529580.tif 000003
【手続補正５】
【補正対象書類名】図面
【補正対象項目名】図５
【補正方法】変更
【補正の内容】
【図５】
2012529580.tif 000004